(57)【要約】【課題】  バッグやカバンのショルダーベルトの長さ調整金具であって、使用中に金具がずれることのないものの提供。【解決手段】  金具本体６と、それに取付けられた軸部７とを有し、金具本体６は断面弧状に湾曲されると共に、その中央及び両端に中央帯状部２及び一対の端部帯状部３が設けられ、夫々の端部帯状部３と中央帯状部２との間に一対の矩形口４が開口する。そして、金具本体６の両側に一対の立ち下げ部５が対向して配置されている。さらに、金具本体６の中央帯状部２に対向して軸部７が設けられ、その両端が一対の立ち下げ部５間に配置される。そして、金具本体６の端部帯状部３の矩形口４側の縁部８が、上面側から下面側に傾斜して曲折されて、ベルト滑り止め手段10を構成する。【選択図】        図２
0003125098.tif 000002
【実用新案登録請求の範囲】
【請求項１】
平面が方形に形成されるとと共に、その平面の全体を上面側に凸の断面弧状に湾曲した弧状面(1) が設けられ、その弧状面(1) の周方向の中央および両端部に中央帯状部(2) と一対の端部帯状部(3) とが互いに平行に設けられ且つ、夫々の端部帯状部(3) と前記中央帯状部(2) との間に一対の矩形口(4) が開口され、前記周方向に直交する方向の両側に一対の立ち下げ部(5) が対向して形成された金具本体(6) と、
その金具本体(6) の前記中央帯状部(2) に対向して配置され、その両端が前記一対の立ち下げ部(5) 間に配置された軸部(7) と、を具備し、
前記金具本体(6) の各端部帯状部(3) の前記矩形口(4) 側の縁部(8) が、前記弧状面(1) の上面側からその下面側である前記軸部(7) 側に傾斜して形成されて、ベルト滑り止め手段(10)を構成し、
前記軸部(7) にベルト(9) の一方の端部(9a)が止着されると共に、折り返したそのベルト(9) の中間部(9b)が前記中央帯状部(2) の上面側および一対の端部帯状部(3) の下面側に挿通され、それらによりベルト(9) が断面台形状に曲折されるように構成されるベルト長さ調整金具。
【考案の詳細な説明】
【技術分野】
【０００１】
本考案は、カバンや手提げを肩に掛けるためのショルダーベルトに対し、そのベルト長さを調節すると共に、その調節位置を確実に維持する調整金具に関する。
【背景技術】
【０００２】
カバンやバッグ等のショルダーベルトの長さ調整金具は、従来、図４及び図５に示すものが広く知られている。
この長さ調整金具15は、針金を方形に曲折した枠部16と、その中心線上に配置した軸部17とを有し、その軸部17の両端が枠部16に止着されたものである。この長さ調整金具15は、ベルト９の端部9aを軸部17に掛け回して縫着し、その中間部を折り返すと共に、長さ調整金具15の枠部16の下側と軸部17の上側とを図５の如く挿通するものである。そして、折り返し部分及びベルト９の他端には図示しない連結金具を取付け、それをカバンの両側に取付けたリングに着脱自在に係止させていた。そしてベルト９の長さを調節する場合には、ベルト９の中間部を長さ調整金具15の内部に押し入れて弛ませ、長さ調整金具15をベルト９の長手方向に移動していた。
【０００３】
また、前記のように針金材を曲折加工する代わりに、金属板をプレス加工して、平面を曰の字状に打ち抜き或いは、ダイカスト成形、射出成形による一体成形の平面的のものも存在した。さらには、下記特許文献１にはベルトの長さ調節具として、ベルトに多数の孔を設け、その孔に金具に設けたピンを差し込むものが提案されている。
【０００４】
【特許文献１】特開２００１−０４６１３７号公報
【考案の開示】
【考案が解決しようとする課題】
【０００５】
図４，図５に示す従来の針金材からなる長さ調整金具は、そこに挿通されるベルトの断面が鈍角の三角形状に曲折されている過ぎず、ベルトと金具との止着抵抗が小さく、使用中に次第に長さ調整金具15がカバン側に移動し、ベルトの長さが長くなる欠点がある。また、金属板を平面が曰の字状に打ち抜いた調整金具等も、同様にベルトと金具との止着抵抗が小さく、使用中に次第に長さ調整金具15がカバン側に移動する欠点があった。
さらには、上記特許文献１に記載されたベルトの長さ調節具は、その構造が複雑で、取り扱いが面倒で、金具自体が高価にならざるを得ない欠点がある。それと共に、ベルト自体に多数の孔を穿設することになり、体裁の悪い欠点がある。
そこで本考案は、構造が簡単で安価に提供できると共に、ベルトとの止着抵抗が大きく、一旦ベルトの長さを調節した後には、その位置を確実に保持し得る信頼性の高いベルトの長さ調整金具を提供することを課題とする。
【課題を解決するための手段】
【０００６】
本考案のベルト長さ調整金具は、金具本体(6) と軸部(7) とを有する。
その金具本体(6) は、平面が方形に形成されるとと共に、その平面の全体を上面側に凸の断面弧状に湾曲した弧状面(1) が設けられ、その弧状面(1) の周方向の中央および両端部に中央帯状部(2) と一対の端部帯状部(3) とが互いに平行に設けられ且つ、夫々の端部帯状部(3) と前記中央帯状部(2) との間に一対の矩形口(4) が開口され、前記周方向に直交する方向の両側に一対の立ち下げ部(5) が対向して形成されたものである。
また、軸部(7) は、その金具本体(6) の前記中央帯状部(2) に対向して配置され、その両端が前記一対の立ち下げ部(5) 間に配置されたものである。
そして、前記金具本体(6) の各端部帯状部(3) の前記矩形口(4) 側の縁部(8) が、前記弧状面(1) の上面側からその下面側である前記軸部(7) 側に傾斜して形成されて、ベルト滑り止め手段(10)を構成する。
そして、前記軸部(7) にベルト(9) の一方の端部(9a)が止着されると共に、折り返したそのベルト(9) の中間部(9b)が前記中央帯状部(2) の上面側および一対の端部帯状部(3) の下面側に挿通され、それらによりベルト(9) が断面台形状に曲折されるように構成されたものである。
【考案の効果】
【０００７】
本考案のベルト長さ調整金具は、金具本体６と、その下面側に配置された軸部７とを具備し、金具本体６の端部帯状部３の縁部８が、弧状面１の上面側から下面側である軸部７側に傾斜して形成されてベルト滑り止め手段10を構成する。そして、ベルト９の中間部9bが断面台形状に曲折されるように、それが一対の端部帯状部３の下面側と中央帯状部２の上面側とに挿通されるから、そのベルトと金具との止着抵抗が大きくなる。即ち、ベルトを肩等に掛けカバンの重みが加わったとき、ベルトが緊張し、金具本体６の端部帯状部３の縁部８の縁が確実にベルト９の曲折部に食い込み、ベルトの移動を確実に阻止する。
【考案を実施するための最良の形態】
【０００８】
次に、図面に基づいて本考案の実施の形態につき説明する。
図１は本考案のベルトの長さ調整金具の斜視略図であり、図２は図１のII−II矢視断面図及びそれにベルト９を取り付けた状態の略図である。
この金具は、金属板のプレス成形体からなる金具本体６と、それに取付けられた軸部７とからなる。金具本体６は平面が方形に形成されると共に、その平面を上面側に僅かに凸の断面弧状に湾曲し、その上面を弧状面１とする。そして、弧状面１の周方向の中央部に中央帯状部２を設け、両端部に一対の端部帯状部３を設け、それらを互いに平行に配置している。そして夫々の端部帯状部３と中央帯状部２との間に、一対の矩形口４が開口されている。
【０００９】
さらに、周方向に直交する両側に一対の立ち下げ部５が対向して形成されている。そして中央帯状部２の下面に、それに対向して軸部７が平行に配置され、その軸部７の両端が立ち下げ部５にカシメ等により固定されている。
そして金具本体６の各端部帯状部３の矩形口４側の縁部８が、弧状面１の上面側からその下面側である軸部７側に傾斜して曲折されている。そして、その曲折された一対の縁部８と中央帯状部２とに上下方向に段差部が形成される。そしてベルト９を図２（Ｂ）の如く挿通したとき、ベルト９の中間部9bは断面台形状に形成される。このような構成により、本考案のベルト滑り止め手段10を形成する。
【００１０】
なお、ベルト９の端部9aは軸部７に掛け回され、その端部が互いに縫着されて固定される。そしてベルト９の中間部9bが図３の如く折り返され、その中間部9bが金具本体６の夫々の端部帯状部３の下面側（軸部７側）を通過し、中央帯状部２の上面側（弧状面１側）を通過する。なお、折り返された位置には、図３に示す如く連結金具14の環状部が挿通される。同様にベルト９の他端部にも連結金具14の環状部が挿通されて、掛け回され、その他端部は互いに縫着されている。また、カバン12の両側上部には一対の（同図では一つのみ図示されている）固定リング11が固定されている。そして、固定リング11の孔に連結金具14のフック部が着脱自在に係止されるものである。
【００１１】
ベルト９はショルダー用のものであり、肩に掛けるとき、カバン12の重みで緊張する。それにより図２（Ｂ）において、ベルト９の中間部9bの台形部は引っ張られ、金具本体６の中央帯状部２の両縁部及び端部帯状部３の縁部８の縁がベルト９に喰い込む。それにより、ベルト９と金具本体６との止着抵抗が大きくなり、ベルト９の中間部9bが長さ調整金具13から移動することがない。特に、ベルト９の中間部9bは長さ調整金具13において台形状に形成されているから、何れの方向にも移動することがない。そのため、使用の度毎に長さ調整金具13が少しづつ移動することを確実に防止し、信頼性の高いベルトの長さ調整金具となり得る。
【００１２】
（変形例）
上記の実施例は、金具本体を金属板のプレス成形体で構成し、軸部を針金材で構成して、両者をカシメ等で固定したが、それに代えてダイカスト成形加工により、金具本体と軸部とを一体に構成してもよい。さらには、プラスチックの射出成形により一体に製作することもできる。
【図面の簡単な説明】
【００１３】
【図１】本考案のベルトの長さ調整金具の斜視略図。
【図２】図１のII−II矢視断面図及びそれにベルト９を挿通した状態の略図。
【図３】同金具を用いたショルダーベルトの使用説明図。
【図４】従来型のベルトの長さ調整金具の斜視図。
【図５】同ベルトの長さ調整金具の使用状態を示す斜視説明図。
【符号の説明】
【００１４】
１  弧状面
２  中央帯状部
３  端部帯状部
４  矩形口
５  立ち下げ部
６  金具本体
７  軸部
８  縁部
8a  欠切部
【００１５】
９  ベルト
9a  端部
9b  中間部
10  ベルト滑り止め手段
11  固定リング
12  カバン
13  長さ調整金具
14  連結金具
15  長さ調整金具
16  枠部
17  軸部
【図１】
0003125098.tif 000003
【図２】
0003125098.tif 000004
【図３】
0003125098.tif 000005
【図４】
0003125098.tif 000006
【図５】
0003125098.tif 000007